(57)【要約】【課題】  最初に立て起こされた側壁２８と後から立て起こされた側壁２６との間のロック機構Ｒにより側壁２６，２８の内倒れを防止するようにした折り畳みコンテナにおいて、ロック機構Ｒが不用意に解除してしまうようなことがなく、さらには、縦方向のリブＴを若干外側に配置して、ラベル装着用の面積を広くすることができ、縦方向のリブＴを設ける範囲Ｄに自由度を設けて、十分な強度を確保することができる折り畳みコンテナを提供する。【解決手段】  折り畳みコンテナ２０であって、  一対の側壁の端部に押圧片３０を設け、この押圧片３０は、上下方向に長い略矩形の互いに対向する２つの長辺と１つの短辺とを切り込んで、上下方向に長い短冊状の揺動片を形成し、この揺動片におけるスリットが形成されていない一辺を支点として容器内外面方向に回動自在に構成されていることを特徴としている。【選択図】図１
2005335766.tif 000002
【特許請求の範囲】
【請求項１】
略矩形状の底壁と、この底壁にヒンジを介して内方に傾倒可能に立設された一対の第１側壁および他の一対の第２側壁とを有し、この第２側壁の両端部に前記第１側壁に向かって略直角に延びる位置規制側片が突設され、さらに、この第２側壁には、前記位置規制片に近接した位置に揺動自在な押圧片が形成され、この押圧片の容器内面側には、内方突部が突出して形成されているとともに、
前記第２側壁を前記底壁に対して立て起こした状態にしてから、前記第１側壁を立て起こした場合に、前記第１側壁の端部が前記第２側壁の内面に形成された前記内方突部を乗り越えるとともに、前記第２側壁の前記位置規制側片に当接し、この状態で前記位置規制片と前記内方突部との間隙に前記第１側壁の端部が挟持される折り畳みコンテナであって、
前記押圧片は、上下方向に長い略矩形の互いに対向する２つの長辺と１つの短辺とを切り込んで、上下方向に長い短冊状の揺動片を形成し、この揺動片における前記切込みが形成されていない水平方向の短い一辺を支点として容器内外面方向に回動自在に構成されていることを特徴とする折り畳みコンテナ。
【請求項２】
前記押圧片に形成された前記内方突部は、横断面略三角形状であり、下部側から上部側に向かうに従って、その高さが漸次高く形成されていることを特徴とする請求項１に記載の折り畳みコンテナ。
【請求項３】
前記第１側壁に、前記内方突部が収容される凹所を設けたことを特徴とする請求項１または２に記載の折り畳みコンテナ。
【発明の詳細な説明】
【技術分野】
【０００１】
本発明は、底壁から立設された４側壁が、ヒンジを介して内方に折り畳むことが可能にされた折り畳みコンテナに関するものである。
【背景技術】
【０００２】
例えば、物品を搬送した後の空容器を効率良く回収する容器として、略矩形状の底壁と、この底壁にヒンジを介して立設された四側壁とを有し、対向する一対の側壁を底壁に重ね合わせた後、他の一対の側壁を重ね合わせることにより、折り畳みを可能にした折り畳みコンテナが知られている（例えば、特許文献１）。
【０００３】
図７は、このような従来の折り畳みコンテナを立て起こしたときの正面図で、図７の左半部は側壁部分の外側から見た正面図、図７の右半部は手前側の側壁部分を取り除いて見たときの正面図である。図８は図７におけるＢ−Ｂ線断面図である。
【０００４】
この畳みコンテナ２は、略矩形状の底壁４と、底壁４から立設された一対の第１側壁６，６と、底壁４から立設された第２側壁８，８とから構成され、互いに隣接し合う側壁６，８間には、不用意に倒れ込むことがないように、図８に示したようなロック機構Ｒが介在されている。
【０００５】
このロック機構Ｒは、第２側壁８の両端部に、図７に示したように、スリット１０ａ、１０ｂ、１０ｃからなるコ字状スリットを形成し、このコ字状スリットで囲まれた内方部分により、容器本体の内外面に揺動可能な押圧片１２が構成されている。また、押圧片１２の容器内面側には、断面略三角形状の内方突部１２ａが形成されている。
【０００６】
そして、この折り畳みコンテナ２では、最初に第２側壁８を立て起こしてから、第１側壁６を立て起こす順番で立て起こされる。図７に矢印Ａで示したように、第１側壁６が後から立て起こされてくると、先ず第１側壁６の端部６ａが押圧片１２の内方突部１２ａに当接する。第１側壁６の端部６ａが第２側壁８の内方突部１２ａに当接すると、図８に破線で示したように、押圧片１２が一旦、容器外方側に押圧される。そして、第１側壁６が、押圧片１２の内方突部１２ａを完全に乗り越えるまで移動すると、すなわち、第１側壁６が矢印Ａ方向に立て起こされて略垂直状態にまで立設されると、押圧片１２は図８に示した実線位置の自然状態に復帰する。そして、第１側壁６の端部６ａが、第２の側壁８の端部に形成された位置規制片８ａに当接する。
【０００７】
このように、第１側壁６が略垂直状態にまで完全に立て起こされると、第１側壁６が第２側壁８の位置規制片８ａと押圧片１２の内方突部１２ａとの間で挟持される。これにより、第１側壁６の容器内方への倒れが防止され、同時に第２側壁８の容器内方への倒れが防止される。
【０００８】
一方、折り畳みコンテナ２が立ておこされた状態から折り畳むには、最初に第２側壁８の押圧片１２に指を当てがい、この押圧片１２を軽く外方に押し込んだ状態にしてから、第１側壁６を矢印Ａと反対方向に傾倒させる。これにより、押圧片１２と第１側壁６との間のロック機構Ｒが解除され、第１側壁６の内方への折り畳みが可能になる。
【０００９】
第１側壁６の矢印Ａとは反対方向への折り畳みが完了した後、第２側壁８を内方に折り畳めば、４側壁全てをコンパクトな状態に折り畳むことができる。
【特許文献１】特開２００２−６８１８０号公報
【発明の開示】
【発明が解決しようとする課題】
【００１０】
ところで、このような従来の折り畳みコンテナ２において、ロック機構Ｒは、押圧片１２が、図７において上下方向の点Ｃ，Ｃを結ぶ線を基準として、図７の紙面に対して直角な方向に揺動される。
【００１１】
このように、押圧片１２を上下方向の点Ｃ，Ｃを結ぶ線を基準として揺動させる構造では、例えば、コンテナの第２側壁８の外面に物品の情報を記載したラベルなどを設置する場合には、ラベルや容器の大きさによっては、押圧片１２の長さＤ’が確保できなくなる。このラベルの設置面を必要程度確保するために、押圧片１２の長さＤ’を短くすると、その分、押圧片１２の付勢力が強くなり、結果として、折り畳み・組立て作業性が悪くなる。
【００１２】
更に、例えば、図７の右半部に示されるように、側壁の強度を上げるために、側壁８の厚みＺを厚くし、しかも縦方向のリブＴの位置を図示した位置に定めてずらさないようにすると、その分、押圧片１２の長さＤ’が短くなってしまう。すると、押圧片１２のばね力が強くなって、押圧片１２の操作性が悪くなるという問題があった。
【００１３】
一方、このような折り畳みコンテナ２では、上からの荷重に対する圧縮強度を維持するために、縦方向のリブＴは、上部から下部に向かって連続していることが好ましい。
また、ロック機構Ｒは、衝撃などにより容易に解除されないことが好ましく、加えて、ロック機構Ｒを解除する場合には、用意に解除できることが好ましい。
【００１４】
本発明は、このような折り畳みコンテナの実情に鑑み、最初に立て起こされる側壁と後から立て起こされる側壁との間にロック機構を設けて、側壁の内倒れを防止するようにした折り畳みコンテナにおいて、ロック機構が衝撃などにより不用意に解除してしまうことがなく、解除する場合には、作業性が良好で、しかもラベルの設置面積を広くすることも可能で、さらには、縦方向のリブを上下に連続させて側壁の十分な強度を確保することができる折り畳みコンテナを提供することを目的としている。
【課題を解決するための手段】
【００１５】
上記目的を達成するための本発明の折り畳みコンテナは、略矩形状の底壁と、この底壁にヒンジを介して内方に傾倒可能に立設された一対の第１側壁および他の一対の第２側壁とを有し、この第２側壁の両端部に前記第１側壁に向かって略直角に延びる位置規制側片が突設され、さらに、この第２側壁には、前記位置規制片に近接した位置に揺動自在な押圧片が形成され、この押圧片の容器内面側には、内方突部が突出して形成されているとともに、
前記第２側壁を前記底壁に対して立て起こした状態にしてから、前記第１側壁を立て起こした場合に、前記第１側壁の端部が前記第２側壁の内面に形成された前記内方突部を乗り越えるとともに、前記第２側壁の前記位置規制側片に当接し、この状態で前記位置規制片と前記内方突部との間隙に前記第１側壁の端部が挟持される折り畳みコンテナであって、
前記押圧片は、上下方向に長い略矩形の互いに対向する２つの長辺と１つの短辺とを切り込んで、上下方向に長い短冊状の揺動片を形成し、この揺動片における前記切込みが形成されていない水平方向の短い一辺を支点として容器内外面方向に回動自在に構成されていることを特徴としている。
【００１６】
このような構成であれば、押圧片が水平方向に連続する辺を基準として、上下方向に揺動されるので、第２側壁の端部に縦方向のリブを設置できない領域を、極力小さくするこ
とができる。
【００１７】
また、本発明は、前記押圧片に形成された前記内方突部は、横断面略三角形状であり、下部側から上部側に向かうに従って、その高さが漸次高く形成されていることが好ましい。
【００１８】
このような構成であれば、押圧片の変形の小さい部位に近づくにしたがって、押圧片の高さが低いので、無理な力を作用させずに，自然な形で押圧片を変形させることができる。
【００１９】
さらに、本発明は、前記第１側壁に、前記内方突部が収容される凹所を設けることが好ましい。
このような構成であれば、内部に収容される物品が衝突した場合であっても、側壁間のロック機構が不用意に解除されてしまうのを防止することができる。
【発明の効果】
【００２０】
本発明に係る折り畳みコンテナによれば、略矩形の押圧片を上下方向に長い形状にし、その揺動する方向を横ではなく上下方向にしたので、第２側壁における縦方向のリブを設けることのできない領域を狭くすることができる。これにより、例えば、ラベルを貼ることのできる領域が広くなるので、通常よりも大型のラベルを設置することも可能になる。また、縦方向のリブを直線状に連続して配置する場合の制限が少なくなるので、側壁の強度を向上させることができる。
【００２１】
また、押圧片の形状を断面で下方から上方に向かうに従って大きくなるように設定すれば、接触面積を大きくした状態で押圧片と側壁とを接触させることができる。
さらに、内方突部と対向する位置に凹所を設けて、この凹所に内方突部を臨ませれば、物品の衝突などによりロック機構が不用意に解除してしまうのを防止することができる。
【発明を実施するための最良の形態】
【００２２】
以下、図面を参照しながら本発明の実施例について説明する。
図１は本発明の一実施例に係る折り畳みコンテナの平面図、図２は図１におけるＸ−Ｘ線方向の断面図、図３は図１におけるＹ−Ｙ線方向の断面図である。
【００２３】
図４は、図３の一部拡大斜視図で，図５は、図３におけるＧ―Ｇ線断面図、図６は図３におけるＥ方向から見た図である。
この折り畳みコンテナ２０では、略矩形状の底壁２４と、この底壁２４にヒンジを介して内方に傾倒可能な一対の第１側壁２６、２６と、他の一対の第２側壁２８，２８とから上部が開口して形成されている。そして、第１側壁２６と第２側壁２８との間には、互いに立て起こされた場合の倒れを防止するロック機構Ｒが四隅に具備されている。すなわち、第２側壁２８の両端部には、第１側壁２６の端面に向かって略直角方向に位置規制片３５が延出されている。
【００２４】
図３に示したように、第２側壁２８の両端部には、上下方向に長い押圧片３０がそれぞれ形成されている。この押圧片３０は、図４に拡大して示したように、２つの長辺と１つの短辺とをコ字状に切り込んで、このスリットにより内部に残存する部分で構成されるものである。この押圧片３０は、図４において、点Ｆ，Ｆを結ぶ水平方向の線を基準として、上下方向に回動軌跡を描くように揺動される。さらに、この押圧片３０には、容器内面側に、内方突部３２が突出して形成されている。
【００２５】
この内方突部３２は、横断面が略三角形状であるとともに、下部側から上部側に向かう
に従って、その高さが漸次高くなるように形成されている。その稜線の傾斜角度は、第１側壁２６の回動軌跡に対応して定められている。
【００２６】
一方、この押圧片３０に対面する第１側壁２６の端部には、図５に示しように凹所３４が形成され、側壁２６，２８が互いに立て起こされた場合に、この凹所３４内に押圧片３０の内方突部３２が収容される構造となっている。したがって、内方突部３２が物品などに衝突することが極力防止されている。
【００２７】
この第１側壁２６の凹所３４は、図６に示したように、上部開口部に連続している。これにより、作業者は、手を凹所３４内に容易に挿入することができる。
本実施例による折り畳みコンテナ２０は上記のように構成されているが、以下にその作用について説明する。
【００２８】
本実施例では、押圧片３０が、図４に示したように上下方向に長く形成されている。よって、図３に示したように、押圧片３０を設ける水平方向の範囲Ｄを従来例に比べて狭くすることができる。したがって、縦方向のリブＴを比較的外方に近接させて配置することができることから、ラベルを貼着したり、取り付けたりする領域Ｓを広く確保することができる。また、この押圧片３０の肉厚を調整しないでも所定の強度を得ることができるので、従来例の横方向に長い押圧片に比べて、ばね力が弱くなってしまうことはない。
【００２９】
さらに、本実施例では、第１側壁２６を底壁２４から立て起こしてくる動作の途中で、この第１側壁２６の端部が押圧片３０の内方突部３２に当接するが、その場合に、内方突部３２は、その高さは上方に近づく程漸次高くなるように形成されているので、無理な姿勢で当接することがなく、第１側壁２６の回動に対応して全体的に当接する。また、ロック機構Ｒが機能した状態、すなわち、側壁２６，２８が完全に立て起こされた状態では、図５に示したように、第側壁２８の内方突部３２が、第１側壁２６の凹所３４内に収容されるので、内容物がロック機構Ｒに当接した場合に、ロック機構Ｒが不用意に解除されてしまうことはない。逆に、ロック機構Ｒを解除するために作業者が指を押圧片３０に近づける場合には、凹所３４が上部開口部に連続しているので、凹所３４内に指先を入れ易い。したがって、作業性が向上する。また、勿論、面積の広くなった領域Ｓに大きなラベルを設置することができる。さらに、縦方向のリブＴは、上から下まで連続して直線状に配置することができるので、強度的にも良好で、上からの荷重に対して十分に耐えることができる。
【００３０】
以上、本発明の一実施例について説明したが、本発明は、上記実施例に何ら限定されない。
例えば、上記実施例では、第１側壁２６を長側とし、第２側壁２８を短側としたが、側壁の長，短はこの逆であっても良い。
【００３１】
さらに、上記実施例では、ロック機構Ｒを解除するには、押圧片３０を手動で解除するようにしているが、これに代え、公知の自動ロック解除機構を用いてそのレバーを操作することにより、押圧片３０を自動的に操作し、ロックを解除することもできる。
【００３２】
その場合には、上記実施例のように、指先で操作する作業スペースとしての凹所３４は不要であるので、上記実施例のように凹所３４を上部開口に連続して設ける必要はない。自動操作用のレバーが移動できるスペースがあれば良い。
【図面の簡単な説明】
【００３３】
【図１】図１は本発明の一実施例による折り畳みコンテナの平面図である。
【図２】図２は図１に示した折り畳みコンテナのＸ−Ｘ線方向断面図である。
【図３】図３は図１に示した折り畳みコンテナのＹ−Ｙ線方向断面図である。
【図４】図４は図３の一部を拡大して示した斜視図である。
【図５】図５は図３におけるＧ−Ｇ線方向の断面図である。
【図６】図６は図３におけるＥ方向からの矢視図である。
【図７】図７は従来の折り畳みコンテナの外面と断面で示した図である。
【図８】図８は図７におけるＢ−Ｂ断面である。
【符号の説明】
【００３４】
２０      折り畳みコンテナ
２４      底壁
２６      第１側壁
２８      第２側壁
３０      押圧片
３５      位置規制片
３２      内方突部
３４      凹所
Ｔ        縦方向のリブ
【図１】
2005335766.tif 000003
【図２】
2005335766.tif 000004
【図３】
2005335766.tif 000005
【図４】
2005335766.tif 000006
【図５】
2005335766.tif 000007
【図６】
2005335766.tif 000008
【図７】
2005335766.tif 000009
【図８】
2005335766.tif 000010